(57)【要約】【課題】計測対象の水平度や傾きの度合いを精度よく計測・判定することができるとともに、傾きの計測範囲を広くとることができる水準器を提供する。【解決手段】器体１と、長手方向中央部を介して器体１に回動自在且つ水平状態に支承３される指針用の水平バランス部材２を備え、器体１側には、この器体１が水平状態の時に、水平バランス部材２の上縁部ｅＵ及び／又は下縁部ｅＬが重なるか又は近接した位置で平行となるような直線状のマークaを、水平バランス部材２の長手方向に沿って表示した。器体１が水平状態の時に、水平バランス部材２の上縁部ｅＵ及び／又は下縁部ｅＬと器体１に表示されたマークaが重なるように構成したので、計測対象の水平度や傾きの度合いを精度よく計測・判定することができ、しかも、マークaに対する水平バランス部材２の上縁部ｅＵ及び／又は下縁部ｅＬの傾きに基づいて計測対象の傾きの大きさを計測・判定できるため、傾きの計測範囲を広くとることができる。【選択図】図１
2018179897.tif 000002
【特許請求の範囲】
【請求項１】
器体（１）と、長手方向中央部を介して器体（１）に回動自在且つ水平状態に支承（３）される指針用の水平バランス部材（２）を備え、
器体（１）には、該器体（１）が水平状態の時に、水平バランス部材（２）の上縁部（ｅＵ）及び／又は下縁部（ｅＬ）が重なるか又は近接した位置で平行となるような線状のマーク（a）が、水平バランス部材（２）の長手方向に沿って表示されたことを特徴とする水準器。
【請求項２】
水平バランス部材（２）の上縁部（ｅＵ）及び／又は下縁部（ｅＬ）が着色されていることを特徴とする請求項１に記載の水準器。
【請求項３】
器体（１）と、長手方向中央部を介して器体（１）に回動自在且つ水平状態に支承（３）される指針用の水平バランス部材（２）を備え、
水平バランス部材（２）には、その両端位置又は長手方向に沿って指針用マーク（b）が表示されるとともに、器体（１）には、該器体（１）が水平状態の時に、水平バランス部材（２）の各端部において水平バランス部材（２）の指針用マーク（b）が一致するようなマーク（a）が表示されたことを特徴とする水準器。
【請求項４】
水平バランス部材（２）に表示される指針用マーク（b）は、水平バランス部材長手方向に沿った直線状のマークであり、器体（１）に表示されるマーク（a）は、器体（１）が水平状態の時に指針用マーク（b）が重なる直線状のマークであることを特徴とする請求項３に記載の水準器。
【請求項５】
器体（１）と水平バランス部材（２）がプレート状であり、プレート状の器体（１）の片面側に、プレート状の水平バランス部材（２）が支承（３）されることを特徴とする請求項１〜４のいずれかに記載の水準器。
【請求項６】
器体（１）と水平バランス部材（２）が透明プラスチックからなることを特徴とする請求項１〜５のいずれかに記載の水準器。
【請求項７】
器体（１）と、長手方向中央部を介して器体（１）に回動自在且つ水平状態に支承（３）される指針用の水平バランス部材（２）を備え、
水平バランス部材（２）の少なくとも両端部（２１）が指針形状に構成されるとともに、器体（１）には、該器体（１）が水平状態の時に、水平バランス部材（２）の前記指針形状の各端部（２１）が一致するようなマーク（a）が表示されたことを特徴とする水準器。
【請求項８】
水平バランス部材（２）の本体（２０）が指針形状に構成されるとともに、器体（１）には、該器体（１）が水平状態の時に、水平バランス部材（２）の前記指針形状の本体（２０）が重なるようなマーク（a）が表示されたことを特徴とする請求項７に記載の水準器。
【請求項９】
支承部（３）は、器体（１）側に設けられた支点部（３０）と、水平バランス部材（２）の長手方向中央部に形成され、支点部（３０）が係合する孔部（３１）からなることを特徴とする請求項１〜８のいずれかに記載の水準器。
【請求項１０】
支点部（３０）の上端部（ｘ）と孔（３１）の上端部（ｙ）は尖形であり、該尖形の角度が上端部（ｘ）＜上端部（ｙ）であることを特徴とする請求項９に記載の水準器。
【請求項１１】
器体（１）は、本体（１０）と該本体（１０）に対して脱着可能な保持ケース（１１）を備え、該保持ケース（１１）内で水平バランス部材（２）が回動自在且つ水平状態に支承（３）され、本体（１０）から取り外した保持ケース（１１）は小型水準器として使用可能であることを特徴とする請求項１〜１０のいずれかに記載の水準器。
【請求項１２】
さらに、器体（１）の一部が脱着可能に嵌挿されることで器体（１）が保持されるスタンド（６）を備え、該スタンド（６）は底面に磁石（６２）を有することを特徴とする請求項１〜１１のいずれかに記載の水準器。
【発明の詳細な説明】
【技術分野】
【０００１】
この発明は、物を設置する際などに、物の水平度や傾きの度合いなどを計測・判定するために用いる水準器に関するものである。
【背景技術】
【０００２】
物を設置する際などに、その水平度や傾きの度合いなどを計測・判定するために水準器が用いられている。一般に広く使用されているのは気泡式水準器であり、この気泡式水準器は、内部に液体と１個の気泡を封入した透明な気泡管が、底面が基準面となる器体に取り付けられ、気泡管には気泡の位置を計測する目盛が表示されている。この気泡式水準器では、器体が水平状態の時に気泡管内の気泡が所定の目盛位置（通常２つの目盛間の位置）にくるので、水平状態であることが確認（判定）できるようになっている（例えば、特許文献１）。
【先行技術文献】
【特許文献】
【０００３】
【特許文献１】特開平１０−１９７２４３号公報
【発明の概要】
【発明が解決しようとする課題】
【０００４】
気泡式水準器は、気泡管の目盛に対する気泡の位置を目視して計測対象が水平か否か、或いは傾きの度合いを計測・判定するものであるが、気泡がある程度の大きさを有するため、目盛に対する気泡の位置を精度よく判定することができず、このため、水平度や傾きの度合いの計測・判定を精度良く行うことができない欠点がある。また、気泡管内を動く気泡の位置から傾きの度合いを測る構造であるため、わずかな傾きしか測定できない、すなわち傾きの計測範囲が狭いという欠点もある。
また、従来の水準器の多くは、主に計測対象物の上に置いて水平度や傾きの度合いを計測・判定するような使用形態を前提とし、底面が基準面となるようなブロック状の器体を備えているため、使用形態が限定されるという問題もある。
【０００５】
したがって本発明の目的は、以上のような従来技術の課題を解決し、計測対象の水平度や傾きの度合いを精度よく計測・判定することができるとともに、傾きの計測範囲を広くとることができる水準器を提供することにある。また、本発明の他の目的は、上記の点に加えて、多様な使用形態を採ることができる水準器を提供することにある。
【課題を解決するための手段】
【０００６】
上記課題を解決するための本発明の要旨は以下のとおりである。
［1］器体（１）と、長手方向中央部を介して器体（１）に回動自在且つ水平状態に支承（３）される指針用の水平バランス部材（２）を備え、
器体（１）には、該器体（１）が水平状態の時に、水平バランス部材（２）の上縁部（ｅＵ）及び／又は下縁部（ｅＬ）が重なるか又は近接した位置で平行となるような線状のマーク（a）が、水平バランス部材（２）の長手方向に沿って表示されたことを特徴とする水準器。
［2］上記［1］の水準器において、水平バランス部材（２）の上縁部（ｅＵ）及び／又は下縁部（ｅＬ）が着色されていることを特徴とする水準器。
【０００７】
［3］器体（１）と、長手方向中央部を介して器体（１）に回動自在且つ水平状態に支承（３）される指針用の水平バランス部材（２）を備え、
水平バランス部材（２）には、その両端位置又は長手方向に沿って指針用マーク（b）が表示されるとともに、器体（１）には、該器体（１）が水平状態の時に、水平バランス部材（２）の各端部において水平バランス部材（２）の指針用マーク（b）が一致するようなマーク（a）が表示されたことを特徴とする水準器。
【０００８】
［4］上記［3］の水準器において、水平バランス部材（２）に表示される指針用マーク（b）は、水平バランス部材長手方向に沿った直線状のマークであり、器体（１）に表示されるマーク（a）は、器体（１）が水平状態の時に指針用マーク（b）が重なる直線状のマークであることを特徴とする水準器。
［5］上記［1］〜［4］のいずれかの水準器において、器体（１）と水平バランス部材（２）がプレート状であり、プレート状の器体（１）の片面側に、プレート状の水平バランス部材（２）が支承（３）されることを特徴とする水準器。
【０００９】
［6］上記［1］〜［5］のいずれかの水準器において、器体（１）と水平バランス部材（２）が透明プラスチックからなることを特徴とする水準器。
［7］器体（１）と、長手方向中央部を介して器体（１）に回動自在且つ水平状態に支承（３）される指針用の水平バランス部材（２）を備え、
水平バランス部材（２）の少なくとも両端部（２１）が指針形状に構成されるとともに、器体（１）には、該器体（１）が水平状態の時に、水平バランス部材（２）の前記指針形状の各端部（２１）が一致するようなマーク（a）が表示されたことを特徴とする水準器。
【００１０】
［8］上記［7］の水準器において、水平バランス部材（２）の本体（２０）が指針形状に構成されるとともに、器体（１）には、該器体（１）が水平状態の時に、水平バランス部材（２）の前記指針形状の本体（２０）が重なるようなマーク（a）が表示されたことを特徴とする水準器。
［9］上記［1］〜［8］のいずれかの水準器において、支承部（３）は、器体（１）側に設けられた支点部（３０）と、水平バランス部材（２）の長手方向中央部に形成され、支点部（３０）が係合する孔部（３１）からなることを特徴とする水準器。
［10］上記［9］の水準器において、支点部（３０）の上端部（ｘ）と孔（３１）の上端部（ｙ）は尖形であり、該尖形の角度が上端部（ｘ）＜上端部（ｙ）であることを特徴とする水準器。
【００１１】
［11］上記［1］〜［10］のいずれかの水準器において、器体（１）は、本体（１０）と該本体（１０）に対して脱着可能な保持ケース（１１）を備え、該保持ケース（１１）内で水平バランス部材（２）が回動自在且つ水平状態に支承（３）され、本体（１０）から取り外した保持ケース（１１）は小型水準器として使用可能であることを特徴とする水準器。
［12］上記［1］〜［11］のいずれかの水準器において、さらに、器体（１）の一部が脱着可能に嵌挿されることで器体（１）が保持されるスタンド（６）を備え、該スタンド（６）は底面に磁石（６２）を有することを特徴とする水準器。
【発明の効果】
【００１２】
本発明の水準器は、器体１が水平状態の時に、（i）水平バランス部材２の上縁部ｅＵ及び／又は下縁部ｅＵと器体１に表示されたマークaが重なる（一致する）か又は近接した位置で平行となるように構成し（本発明の第一の形態の水準器の場合）、若しくは（ii）水平バランス部材２の両端位置又は長手方向に沿って表示された指針用マークbと器体１に表示されたマークaが一致するように構成し（本発明の第二の形態の水準器の場合）、若しくは（iii）少なくとも両端部が指針形状の水平バランス部材２と器体１に表示されたマークaが一致するように構成した（本発明の第三の形態の水準器の場合）ので、従来の気泡式水準器に較べて、計測対象の水平度や傾きの度合いを精度よく計測・判定することができる。また、器体１に表示されたマークaに対する、（i）水平バランス部材２の上縁部ｅＵ及び／又は下縁部ｅＵの傾き（本発明の第一の形態の水準器の場合）、若しくは（ii）水平バランス部材２の両端位置又は長手方向に沿って表示された指針用マークbの傾き又は位置関係（本発明の第二の形態の水準器の場合）、若しくは（iii）少なくとも両端部が指針形状の水平バランス部材２の傾き又は位置関係（本発明の第三の形態の水準器の場合）、に基づいて計測対象の傾きの度合いを計測・判定できるため、傾きの計測範囲を広くとることができる。
【００１３】
また、本発明の水準器のなかでも、（i）器体１をプレート状にした水準器の場合には、下端面などを基準面として計測対象に当接させて使用するほかに、例えば、器体１を壁面に接着テープで仮止めして使用することができる、（ii）器体１が、その本体１０に対して脱着可能な保持ケース１１を備え、この保持ケース１１内に水平バランス部材２が支承３された水準器の場合には、本体１０から取り外した保持ケース１１を小型水準器として使用することができる、など多様な使用形態を採ることができる。
【図面の簡単な説明】
【００１４】
【図１】本発明の第一の形態の水準器の一実施形態を示すもので、水平バランス部材２の保持ケース１１を縦断面した状態で示す正面図
【図２】図１の実施形態の水準器の側面図
【図３】図１の実施形態の水準器における水平バランス部材２の保持ケース１１の縦断面図であって、水平バランス部材２を部分的に切欠いた状態で示す図面
【図４】図３のIV-IVに沿う断面図
【図５】図１の実施形態の水準器における水平バランス部材２の支承部３を部分的に示す図面
【図６】図１の実施形態の水準器において、水平バランス部材２を器体１側から取り外した状態で、水平バランス部材２と器体１側に表示されたマークａを示す説明図
【図７】本発明の水準器が備えることができるスタンド６の一実施形態を示す斜視図
【図８】本発明の第一の形態の水準器の他の実施形態において、水平バランス部材２を器体１側から取り外した状態で、水平バランス部材２と器体１側に表示されたマークａを示す説明図
【図９】本発明の第二の形態の水準器において、器体１側に表示するマークaと水平バランス部材２側に表示する指針用マークbの種々の実施形態を、水平バランス部材２を器体１側から取り外した状態で示す説明図
【図１０】本発明の第三の形態の水準器の一実施形態を示すもので、水平バランス部材２の保持ケース１１を縦断面した状態で示す正面図
【図１１】本発明の第三の形態の水準器の他の実施形態を示すもので、水平バランス部材２の保持ケース１１を縦断面した状態で示す正面図
【発明を実施するための形態】
【００１５】
本発明の第一の形態の水準器は、器体１と、長手方向中央部を介して器体１に回動自在且つ水平状態に支承３される指針用の水平バランス部材２を備え、器体１側には、この器体１が水平状態の時に、水平バランス部材２の上縁部ｅＵ及び／又は下縁部ｅＵが重なる（一致する）か又は近接した状態で平行となるような線状のマークaが、水平バランス部材２の長手方向に沿って表示される。
【００１６】
図１〜図６は、そのような本発明の第一の形態の水準器の一実施形態を示すもので、図１は水平バランス部材の保持ケースを縦断面した状態で示す正面図、図２は側面図、図３は水平バランス部材２の保持ケース１１の縦断面図であって、水平バランス部材２を部分的に切欠いた状態で示す図面、図４は図３のIV-IVに沿う断面図、図５は水平バランス部材２の支承部３を部分的に示す図面、図６は水平バランス部材２を器体１側から取り外した状態で、水平バランス部材２と器体１側に表示されたマークaを示す説明図である。
【００１７】
器体１は、透明プラスチック製の横長のプレート体であり、その上端部長手方向（上辺部）と下端部長手方向には目盛が付されるとともに、プレート全面に方眼罫状の目盛が付され、スケールとして使用できるようにしてある。通常、器体１は、その下端面（底面）を基準面として用いるが、壁面にセットして用いるような場合には、上端面や方眼罫状の目盛を基準として用いてもよい。
指針用の水平バランス部材２は、透明プラスチック製の細長（横長）の矩形状のプレート体であり、その長手方向中央部を介してプレート状の器体１の片面側に回動自在且つ水平状態に支承３されている。
水平バランス部材２は細長（横長）の矩形状であるため、その上縁部ｅＵと下縁部ｅＬは直線状であって互いに平行である。
【００１８】
水平バランス部材２の支承部３は、器体１側（器体１の側面）に設けられた支点部３０と、水平バランス部材２の長手方向中央部に形成され、支点部３０が係合する孔部３１からなり、水平バランス部材２は、その長手方向中央部の孔部３１に器体１側の支点部３０が係合することで、器体１に回動自在且つ水平状態に支承３されている。
本実施形態では、器体１は、プレート状の本体１０とこの本体１０に対して脱着可能な扁平状の保持ケース１１で構成され、この保持ケース１１内で水平バランス部材２が回動自在且つ水平状態に支承３されている。後述するように、保持ケース１１は本体１０から取り外して小型水準器として使用できるようにするため、扁平な直方体形状に構成されている。
軽量で持ち運びが容易な水準器とするため、本体１（プレート）や保持ケース１１はなるべく薄い方がよく、一般には、本体１は厚さ５ｍｍ以下、保持ケース１１は厚さ１０ｍｍ以下が好ましい。
【００１９】
すなわち、保持ケース１１を構成する１対の側板１１０a，１１０b間には支点部３０が架設され、水平バランス部材２は、その長手方向中央部の孔部３１に、その支点部３０が係合することで、保持ケース１１内で回動自在且つ水平状態に支承３されている。
水平バランス部材２は上下に所定の幅を有し、孔部３１は水平バランス部材２の長手方向中央部の上部側に形成されており、これにより支承３される水平バランス部材２の下方側を重くし、水平バランス部材２が水平状態に安定して支承されるようにしてある。
【００２０】
支点部３０は断面三角形状に構成されることで上端部ｘが尖形に構成され、また、孔部３１も三角形状に構成されることで上端部ｙが尖形に構成されており、この孔部３１の上端部ｙに支点部３０の上端部ｘが係合することで支承部３が構成されている。
また、水準器の使用時に水平バランス部材２の振れを小さくし、且つ振れが早く停止するようにするため、支点部３０の上端部ｘと孔部３１の上端部ｙの尖形の角度を上端部ｘ＜上端部ｙとしてある。さらに、保持ケース１１の側板１１０a，１１０b間に架設される支点部３０の上端部ｘは、側板１１０a，１１０bに接する両端部ｘｅが傾斜状に高くなっている。すなわち、支点部３０の上端部ｘはその中央（傾斜状の両端部ｘｅ間の部分）が窪んでおり、この部分が孔部３１の上端部ｙに係合し、これにより保持ケース１１内での水平バランス部材２の前後の振れが防止されるようにしている。
【００２１】
器体１側には、この器体１が水平状態の時に、水平バランス部材２の直線状の上縁部ｅＵ及び下縁部ｅＵの各全長が重なる（＝水準器を正面から見た場合に重なった状態に見える）ような上下２本の直線状のマークaが、水平バランス部材２の長手方向に沿って平行に表示されている。すなわち、水準器を正面から見た場合に、水平バランス部材２の直線状の上縁部ｅＵと下縁部ｅＵが上下２本の直線状のマークaと重なった状態（一致した状態）に見えるようにしている。
【００２２】
なお、器体１側に表示する直線状のマークaは、水平バランス部材２の上縁部ｅＵと下縁部ｅＵのうちの一方と重なる（一致する）ように１本のみ設けることも可能であるが、本実施形態のように上縁部ｅＵと下縁部ｅＵの両方と重なる（一致する）ように上下２本設ける方が、計測対象の水平度がより確認しやすいので好ましい。
また、透明プラスチックで構成される水平バランス部材２の上縁部ｅＵ及び／又は下縁部ｅＵを確認しやすくするため、上縁部ｅＵ及び／又は下縁部ｅＵを着色してもよい。
【００２３】
器体１の本体１０の片面側には、保持ケース１１を脱着可能に固定するための１対のレール４が設けられ、このレール４間に保持ケース１１をスライド装着させることにより、保持ケース１１は本体１０に固定される。また、保持ケース１１をレール４に対してスライドさせて、本体１０から取り外すことができる。レール６の内側には保持ケース１１の上下端面に形成された案内溝に係合する凸条部４０が形成されている。なお、５Ａは保持ケース１１の端部が当接するストッパー、５Ｂは保持ケース１１の背面に形成された凹部に係合するストッパーであり、いずれも本体１０に突設されている。
【００２４】
本体１０から取り外した保持ケース１１は小型水準器として使用可能である。この保持ケース１１からなる小型水準器は、通常、下端面を基準面として使用される。この保持ケース１１からなる小型水平器は、器体１を配置できないような狭い場所であっても使用できるため、本発明の水準器の適用範囲を広げることができる利点がある。
また、本発明の水準器は、器体１を保持するためのスタンドを備えることができる。図７は、そのスタンド６の一実施形態を示している。このスタンド６は、底面に磁石６２が取り付けられた台座６０と、この台座６０に立設された器体保持部６１からなり、この器体保持部６１の挿し込み用の溝６３にプレート状の器体１の一部を嵌挿することで、器体１が保持されるようにしてある。
【００２５】
図１〜図６の実施形態では、水平バランス部材２の支承部３は、器体１側に設けられた支点部３０と、支点部３０が係合するために水平バランス部材２に形成された孔部３１で構成されているが、これに限定されるものではなく、例えば、枢支軸とこれを支持する軸受（すべり軸受、転がり軸受など）などで構成してもよい。
【００２６】
また、器体１側に表示する直線状のマークaは、器体１が水平状態の時に、水平バランス部材２の直線状の上縁部ｅＵ及び／又は下縁部ｅＵと近接した位置で平行になる（＝水準器を正面から見た場合に近接した位置で平行に見える）ように設けることもできる。図８は、そのような水準器の一実施形態を示すものであり、水平バランス部材２を器体１側から取り外した状態で、水平バランス部材２と器体１側に表示されたマークａを示す説明図である。この実施形態では、この器体１が水平状態の時に、水平バランス部材２の直線状の上縁部ｅＵ及び下縁部ｅＵの各全長が近接した位置で平行になる（＝水準器を正面から見た場合に近接した位置で平行状態に見える）ような上下２本の直線状のマークaが、水平バランス部材２の長手方向に沿って平行に表示されている。すなわち、水準器を正面から見た場合に、水平バランス部材２の直線状の上縁部ｅＵ及び下縁部ｅＵが上下２本の直線状のマークaと近接した位置で平行に見えるようにしている。
【００２７】
なお、図８の実施形態の他の構成は、図１〜図６の実施形態と同様であるので、それらの図示と詳細な説明は省略する。
また、器体１側に表示する直線状のマークaは、水平バランス部材２の上縁部ｅＵと下縁部ｅＵのうちの一方と近接した位置で平行になるように１本のみ設けることも可能であるが、本実施形態のように上縁部ｅＵと下縁部ｅＵの両方と近接した位置で平行になるように上下２本設ける方が、計測対象の水平度がより確認しやすいので好ましい。
【００２８】
本発明の第二の形態の水準器は、器体１と、長手方向中央部を介して器体１に回動自在且つ水平状態に支承３される指針用の水平バランス部材２を備え、この水平バランス部材２には、その両端位置又は長手方向に沿って指針用マークaが表示されるとともに、器体１には、この器体１が水平状態の時に、水平バランス部材２の各端部において水平バランス部材２の指針用マークaが一致するようなマークbが表示される。
図９（Ａ）〜（Ｄ）は、その本発明の第二の形態の水準器において、器体１側に表示するマークaと水平バランス部材２側に表示する指針用マークbの種々の実施形態を、水平バランス部材２を器体１側から取り外した状態で示した説明図である。
【００２９】
図９（Ａ）の実施形態において、水平バランス部材２には、その長手方向に沿って直線状の指針用マークbが表示されるとともに、器体１側には、この器体１が水平状態の時に、水平バランス部材各端部において水平バランス部材２の指針用マークbが一致するような位置（水準器を正面から見て指針用マークbが一致するような位置）に矢印のマークaが表示されている。なお、この水平バランス部材２の指針用マークbは、水平バランス部材２の両端位置にのみ表示するようにしてもよい。
【００３０】
また、図９（Ｂ）の実施形態は、図９（Ａ）の実施形態のマークaと指針用マークbを上下２段に表示したものである。また、図９（Ｃ）の実施形態は、指針用マークbを水平バランス部材長手方向に沿った直線状のマークとするとともに、マークaを、器体１が水平状態の時に指針用マークbが重なる直線状のマークとしたものであり、図９（Ｄ）の実施形態は、そのようなマークaと指針用マークbを上下２段に表示したものである。これらの形態のうち、図９（Ｃ）、（Ｄ）の実施形態において、特に図９（Ａ）の実施形態のように器体１と水平バランス部材２を透明プラスチックで構成した場合には、直線のマークaに対して直線の指針用マークbが重なるか否かで水平状態であるかどうかを判定できるので、水平状態の判定を特に精度良く行うことができる。
なお、図９（Ａ）〜（Ｄ）の各実施形態の他の構成は、図１〜図６の実施形態と同様であるので、それらの図示と詳細な説明は省略する。
【００３１】
本発明の第三の形態の水準器は、水平バランス部材２の少なくとも両端部を指針形状に構成するとともに、器体１に、この器体１が水平状態の時に、水平バランス部材２の前記指針形状の各端部が一致するようなマークbが表示される。図１０と図１１は、そのような構成を有する水準器の実施形態をそれぞれ示すもので、水平バランス部材の保持ケースを縦断面した状態で示す正面図である。
図１０の実施形態は、水平バランス部材２の両端部２１を指針形状に構成するとともに、器体１に、この器体１が水平状態の時に、水平バランス部材２の前記指針形状の各端部２１が一致するようなマークaを表示したものである。
【００３２】
また、図１１の実施形態は、水平バランス部材２の本体２０を指針形状に構成するとともに、器体１に、この器体１が水平状態の時に、水平バランス部材２の前記指針形状の本体２０が一致する（重なる）ようなマークaを表示したものである。なお、この実施形態では、支承部３は、器体１側に設けられる断面円形状の支点部３０と、水平バランス部材２側に設けられる円形状の孔部３０（断面円形状の支点部３０よりも径の大きい孔部）で構成され、また、支承部８も、器体１側に設けられる断面円形状の支点部８０と、垂直指針部材７側に設けられる円形状の孔部８０（断面円形状の支点部８０よりも径の大きい孔部）で構成されている。
なお、図１０及び図１１の実施形態の他の構成は、図１〜図６の実施形態と同様であるので、同一の符合を付し、詳細な説明は省略する。
【００３３】
本発明の水準器は、器体１が水平状態の時に、水平バランス部材２が下記（i）〜（iii）のいずれかの状態になる。
（i）水平バランス部材２の上縁部ｅＵ及び／又は下縁部ｅＬが、器体１に表示されたマークaと重なる（一致する）か又は近接した位置で平行となる。（本発明の第一の形態の水準器）
（ii）水平バランス部材２の両端位置又は長手方向に沿って表示された指針用マークbが、水平バランス部材２の各端部において器体１に表示されたマークaと一致する。（本発明の第二の形態の水準器）
（iii）水平バランス部材２の指針形状の各端部２１又は本体２０が、器体１に表示されたマークaと一致する。（本発明の第三の形態の水準器）
【００３４】
このため、例えば、器体１の下端面を基準面として、その下端面を計測対象面に置き（当接させ）、以下のようにして計測対象の水平度や傾きの度合いを計測・判定することができる。
（i）水平バランス部材２の上縁部ｅＵ及び／又は下縁部ｅＬがマークaと重なる（一致する）か否か、或いは上縁部ｅＵ及び／又は下縁部ｅＬのマークaに対する傾きの程度により、計測対象の水平度や傾きの度合いを計測・判定する。（本発明の第一の形態の水準器）
（ii）指針用マークbがマークaと一致するか否か、或いは指針用マークbのマークaに対する傾きの程度により、計測対象の水平度や傾きの度合いを計測・判定する。（本発明の第二の形態の水準器）
【００３５】
（iii）水平バランス部材２の指針形状の各端部２１又は本体２０がマークaと一致するか否か、或いは水平バランス部材２の指針形状の各端部２１又は本体２０のマークaに対する傾きの程度により、計測対象の水平度や傾きの度合いを計測・判定する。（本発明の第三の形態の水準器）
このため、本発明の水準器は、従来の気泡式水準器に較べて、計測対象の水平度や傾きの度合いを精度よく計測・判定することができ、しかも、傾きの計測範囲を広くとることができる。
【００３６】
以上述べた各実施形態の水準器は、例えば、以下のようにして使用することができる。
（i）器体１の下端面を基準面とし、その下端面を計測対象面に置き（当接させ）、計測対象面の水平度や傾きの度合いを計測・判定する。
（ii）特にプレート状の器体１を有する水準器の場合、例えば、壁面にポスターを貼り付ける際に、器体１を水平状態（すなわち、本発明の第一の形態の水準器の場合には、水平バランス部材２の上縁部ｅＵ及び／又は下縁部ｅＬがマークaに重なる（一致する）か又は近接した位置で平行となる状態、本発明の第二の形態の水準器の場合には、指針用マークbがマークaと一致した状態、本発明の第三の形態の水準器の場合には、水平バランス部材２の指針形状の各端部２１又は本体２０がマークaと一致した状態）にして壁面に接着テープで仮止めし、この器体１の上端面にポスターの下端（下辺）が接するようにポスターを位置決めし、壁面への貼り付けを行う。この場合、両手を使用してポスターなどの貼り付けができることから、簡単に素早く正確な作業を行うことができる。
（iii）器体１が、その本体１０に対して脱着可能な保持ケース１１を備え、この保持ケース１１内に水平バランス部材２が支承３された水準器の場合、本体１０から取り外した保持ケース１１を小型水準器として使用する。これにより１つの水準器で狭い場所などにおいても計測が可能となる。
【００３７】
また、上述した実施形態の水準器は、（1）全体を薄型構造とし且つプラスチック製としたことにより、従来品に比べて大幅な軽量化が可能であり、持ち運びが容易で使い勝手も良い、（2）器体１を透明プラスチック製とし且つスケールとして使用できるようにしたので、器体１を壁面に配置するような場合に、下地の基本線（点）などが確認でき且つ位置合わせも容易にできるので、作業性が良い、などの利点がある。
【符号の説明】
【００３８】
１  器体
２  水平バランス部材
３  支承部
４  レール
５Ａ，５Ｂ  ストッパー
６  スタンド
１０  本体
１１  保持ケース
１３  空間
２０  本体
２１  端部
３０  支点部
３１  孔部
４０  凸条部
６０  台座
６１  器体保持部
６２  磁石
６３  溝
１１０a，１１０b  側板部
a  マーク
b  指針用マーク
ｘ，ｙ  上端部
ｘｅ  端部
【図１】
2018179897.tif 000003
【図２】
2018179897.tif 000004
【図３】
2018179897.tif 000005
【図４】
2018179897.tif 000006
【図５】
2018179897.tif 000007
【図６】
2018179897.tif 000008
【図７】
2018179897.tif 000009
【図８】
2018179897.tif 000010
【図９】
2018179897.tif 000011
【図１０】
2018179897.tif 000012
【図１１】
2018179897.tif 000013
【手続補正書】
【提出日】平成29年5月31日(2017.5.31)
【手続補正１】
【補正対象書類名】明細書
【補正対象項目名】００１２
【補正方法】変更
【補正の内容】
【００１２】
本発明の水準器は、器体１が水平状態の時に、（i）水平バランス部材２の上縁部ｅＵ及び／又は下縁部ｅＬと器体１に表示されたマークaが重なる（一致する）か又は近接した位置で平行となるように構成し（本発明の第一の形態の水準器の場合）、若しくは（ii）水平バランス部材２の両端位置又は長手方向に沿って表示された指針用マークbと器体１に表示されたマークaが一致するように構成し（本発明の第二の形態の水準器の場合）、若しくは（iii）少なくとも両端部が指針形状の水平バランス部材２と器体１に表示されたマークaが一致するように構成した（本発明の第三の形態の水準器の場合）ので、従来の気泡式水準器に較べて、計測対象の水平度や傾きの度合いを精度よく計測・判定することができる。また、器体１に表示されたマークaに対する、（i）水平バランス部材２の上縁部ｅＵ及び／又は下縁部ｅＬの傾き（本発明の第一の形態の水準器の場合）、若しくは（ii）水平バランス部材２の両端位置又は長手方向に沿って表示された指針用マークbの傾き又は位置関係（本発明の第二の形態の水準器の場合）、若しくは（iii）少なくとも両端部が指針形状の水平バランス部材２の傾き又は位置関係（本発明の第三の形態の水準器の場合）、に基づいて計測対象の傾きの度合いを計測・判定できるため、傾きの計測範囲を広くとることができる。
【手続補正２】
【補正対象書類名】明細書
【補正対象項目名】００１５
【補正方法】変更
【補正の内容】
【００１５】
本発明の第一の形態の水準器は、器体１と、長手方向中央部を介して器体１に回動自在且つ水平状態に支承３される指針用の水平バランス部材２を備え、器体１側には、この器体１が水平状態の時に、水平バランス部材２の上縁部ｅＵ及び／又は下縁部ｅＬが重なる（一致する）か又は近接した状態で平行となるような線状のマークaが、水平バランス部材２の長手方向に沿って表示される。
【手続補正３】
【補正対象書類名】明細書
【補正対象項目名】００２１
【補正方法】変更
【補正の内容】
【００２１】
器体１側には、この器体１が水平状態の時に、水平バランス部材２の直線状の上縁部ｅＵ及び下縁部ｅＬの各全長が重なる（＝水準器を正面から見た場合に重なった状態に見える）ような上下２本の直線状のマークaが、水平バランス部材２の長手方向に沿って平行に表示されている。すなわち、水準器を正面から見た場合に、水平バランス部材２の直線状の上縁部ｅＵと下縁部ｅＬが上下２本の直線状のマークaと重なった状態（一致した状態）に見えるようにしている。
【手続補正４】
【補正対象書類名】明細書
【補正対象項目名】００２２
【補正方法】変更
【補正の内容】
【００２２】
なお、器体１側に表示する直線状のマークaは、水平バランス部材２の上縁部ｅＵと下縁部ｅＬのうちの一方と重なる（一致する）ように１本のみ設けることも可能であるが、本実施形態のように上縁部ｅＵと下縁部ｅＬの両方と重なる（一致する）ように上下２本設ける方が、計測対象の水平度がより確認しやすいので好ましい。
また、透明プラスチックで構成される水平バランス部材２の上縁部ｅＵ及び／又は下縁部ｅＬを確認しやすくするため、上縁部ｅＵ及び／又は下縁部ｅＬを着色してもよい。
【手続補正５】
【補正対象書類名】明細書
【補正対象項目名】００２６
【補正方法】変更
【補正の内容】
【００２６】
また、器体１側に表示する直線状のマークaは、器体１が水平状態の時に、水平バランス部材２の直線状の上縁部ｅＵ及び／又は下縁部ｅＬと近接した位置で平行になる（＝水準器を正面から見た場合に近接した位置で平行に見える）ように設けることもできる。図８は、そのような水準器の一実施形態を示すものであり、水平バランス部材２を器体１側から取り外した状態で、水平バランス部材２と器体１側に表示されたマークａを示す説明図である。この実施形態では、この器体１が水平状態の時に、水平バランス部材２の直線状の上縁部ｅＵ及び下縁部ｅＬの各全長が近接した位置で平行になる（＝水準器を正面から見た場合に近接した位置で平行状態に見える）ような上下２本の直線状のマークaが、水平バランス部材２の長手方向に沿って平行に表示されている。すなわち、水準器を正面から見た場合に、水平バランス部材２の直線状の上縁部ｅＵ及び下縁部ｅＬが上下２本の直線状のマークaと近接した位置で平行に見えるようにしている。
【手続補正６】
【補正対象書類名】明細書
【補正対象項目名】００２７
【補正方法】変更
【補正の内容】
【００２７】
なお、図８の実施形態の他の構成は、図１〜図６の実施形態と同様であるので、それらの図示と詳細な説明は省略する。
また、器体１側に表示する直線状のマークaは、水平バランス部材２の上縁部ｅＵと下縁部ｅＬのうちの一方と近接した位置で平行になるように１本のみ設けることも可能であるが、本実施形態のように上縁部ｅＵと下縁部ｅＬの両方と近接した位置で平行になるように上下２本設ける方が、計測対象の水平度がより確認しやすいので好ましい。
【手続補正７】
【補正対象書類名】明細書
【補正対象項目名】００３８
【補正方法】変更
【補正の内容】
【００３８】
１  器体
２  水平バランス部材
３  支承部
４  レール
５Ａ，５Ｂ  ストッパー
６  スタンド
１０  本体
１１  保持ケース
１３  空間
２０  本体
２１  端部
３０  支点部
３１  孔部
４０  凸条部
６０  台座
６１  器体保持部
６２  磁石
６３  溝
１１０a，１１０b  側板部
a  マーク
b  指針用マーク
ｘ，ｙ  上端部
ｘｅ  端部
ｅＵ  上縁部
ｅＬ  下縁部
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
器体（１）と、長手方向中央部を介して器体（１）に回動自在且つ水平状態に支承（３）される指針用の水平バランス部材（２）を備え、
器体（１）には、該器体（１）が水平状態の時に、水平バランス部材（２）の上縁部（ｅＵ）及び下縁部（ｅＬ）が重なるか又は近接した位置で平行となるような上下２本の線状のマーク（a）が、水平バランス部材（２）の長手方向に沿って表示され、
支承部（３）は、器体（１）側に設けられた支点部（３０）と、水平バランス部材（２）の長手方向中央部に形成され、支点部（３０）が係合する孔部（３１）からなり、支点部（３０）の上端部（ｘ）と孔（３１）の上端部（ｙ）は尖形であり、該尖形の角度が上端部（ｘ）＜上端部（ｙ）であることを特徴とする水準器。
【請求項２】
水平バランス部材（２）の上縁部（ｅＵ）及び／又は下縁部（ｅＬ）が着色されていることを特徴とする請求項１に記載の水準器。
【請求項３】
器体（１）と、長手方向中央部を介して器体（１）に回動自在且つ水平状態に支承（３）される指針用の水平バランス部材（２）を備え、
水平バランス部材（２）には、その両端位置又は長手方向に沿って指針用マーク（b）が表示されるとともに、器体（１）には、該器体（１）が水平状態の時に、水平バランス部材（２）の各端部において水平バランス部材（２）の指針用マーク（b）が一致するようなマーク（a）が表示され、且つ水平バランス部材（２）と器体（１）には、それぞれ指針用マーク（b）とマーク（a）が上下２段に表示され、
支承部（３）は、器体（１）側に設けられた支点部（３０）と、水平バランス部材（２）の長手方向中央部に形成され、支点部（３０）が係合する孔部（３１）からなり、支点部（３０）の上端部（ｘ）と孔（３１）の上端部（ｙ）は尖形であり、該尖形の角度が上端部（ｘ）＜上端部（ｙ）であることを特徴とする水準器。
【請求項４】
水平バランス部材（２）に表示される指針用マーク（b）は、水平バランス部材長手方向に沿った直線状のマークであり、器体（１）に表示されるマーク（a）は、器体（１）が水平状態の時に指針用マーク（b）が重なる直線状のマークであることを特徴とする請求項３に記載の水準器。
【請求項５】
器体（１）と水平バランス部材（２）がプレート状であり、プレート状の器体（１）の片面側に、プレート状の水平バランス部材（２）が支承（３）されることを特徴とする請求項１〜４のいずれかに記載の水準器。
【請求項６】
器体（１）と水平バランス部材（２）が透明プラスチックからなることを特徴とする請求項１〜５のいずれかに記載の水準器。
【請求項７】
器体（１）は、透明プラスチックからなる横長のプレート体であり、その上端部長手方向と下端部長手方向には目盛が付されるとともに、プレート全面に方眼罫状の目盛が付され、スケールとして使用できるように構成されたことを特徴とする請求項１〜５のいずれかに記載の水準器。
【請求項８】
器体（１）は、本体（１０）と該本体（１０）に対して脱着可能な保持ケース（１１）を備え、該保持ケース（１１）内で水平バランス部材（２）が回動自在且つ水平状態に支承（３）され、本体（１０）から取り外した保持ケース（１１）は小型水準器として使用可能であることを特徴とする請求項１〜７のいずれかに記載の水準器。
【請求項９】
さらに、器体（１）の一部が脱着可能に嵌挿されることで器体（１）が保持されるスタンド（６）を備え、該スタンド（６）は底面に磁石（６２）を有することを特徴とする請求項１〜８のいずれかに記載の水準器。